(57)【要約】【課題】利用者の特定動作をきっかけとして、利用者に所定の情報を自動的に通知する。【解決手段】特定動作に関連付けした情報をデータ記憶部１０７に予め登録しておき、利用者が特定動作を行った場合に、その特定動作に関連付けした情報を検索し、表示部１０８に表示して通知する。特定動作の例としては、電子錠システム、電子カードシステム、電子定期券システム、電子チケットシステムに対する動作がある。【選択図】  図１
2004274617.tif 000002
【特許請求の範囲】
【請求項１】
外部装置との間で通信を行う通信部と表示部を有する携帯端末を用いる情報通知方法であって、
前記携帯端末を用いて外部装置との間に特定の動作を行ったときに通知すべき通知情報を当該特定の動作に関する情報と関連付けて前記携帯端末のデータ記憶部に登録するステップと、
前記携帯端末を用いて外部装置との間に前記特定の動作を行ったとき、当該特定の動作に関連付けられた通知情報を前記データ記憶部から抽出するステップと、
抽出された通知情報を前記携帯端末の前記表示部に表示するステップとを含むことを特徴とする情報通知方法。
【請求項２】
請求項１記載の情報通知方法において、前記特定の動作に関する情報には、動作の種類、動作の条件、及び日時に関する情報が含まれることを特徴とする情報通知方法。
【請求項３】
請求項１又は２記載の情報通知方法において、前記特定の動作は、前記携帯端末と電子錠システムとの間に行われる動作であることを特徴とする情報通知方法。
【請求項４】
請求項１又は２記載の情報通知方法において、前記特定の動作は、前記携帯端末と電子カードシステムとの間に行われる動作であることを特徴とする情報通知方法。
【請求項５】
請求項１又は２記載の情報通知方法において、前記特定の動作は、前記携帯端末と電子定期券システムとの間に行われる動作であることを特徴とする情報通知方法。
【請求項６】
請求項１又は２記載の情報通知方法において、前記特定の動作は、前記携帯端末と電子チケットシステムとの間に行われる動作であることを特徴とする情報通知方法。
【請求項７】
データ記憶部と、表示部と、外部装置との間で通信を行う通信部と、外部装置への指示を入力する操作部とを有し、情報通知機能を有する携帯端末であって、
前記データ記憶部に、当該携帯端末を用いて外部装置との間に特定の動作を行ったときに通知すべき通知情報を当該特定の動作と関連付けて記憶しており、
前記データ記憶部に記憶された特定の動作が行われとき、その動作に関連付けられた通知情報を前記データ記憶部から検索する検索部と、
前記検索部によって検索された通知情報を前記表示部に表示する通知情報作成部とを備えることを特徴とする情報通知機能を有する携帯端末。
【発明の詳細な説明】
【０００１】
【発明の属する技術分野】
本発明は、予め登録しておいた情報を予め登録しておいたタイミングで通知する情報通知方法及び情報通知機能を有する携帯端末に関する。
【０００２】
【従来の技術】
従来、予め登録しておいた情報を通知するサービス方法として、例えば、特許文献１に記載のものが知られている。特許文献１に記載のものは、位置特定システムを使用して、予め登録された位置に到達したか否かを判断し、到着した場合に登録された情報を送信する情報送信サービス方法に関するものである。
【特許文献１】
特開２００２−３０４３４４号公報
【０００３】
【発明が解決しようとする課題】
しかしながら、特許文献１に記載の技術は、位置特定システムを使用して、利用者が特定位置に到達した場合に一定の情報を送信するものではあるが、当該位置での利用者の動作に着目したものではないため、同じ位置で利用者が異なる動作をしたときでも通知する情報の内容を変えることができず、例えば、同じ家のドアの前に立った場合でも、外出する場合のみに特定の情報を通知することや、外出する場合と帰宅した場合とで通知する情報を変えることはできないという問題がある。
本発明は、利用者の特定動作をきっかけとして、利用者に所定の情報を自動的に通知する情報通知方法及び情報通知機能を有する携帯端末を提供することを目的とする。
【０００４】
【課題を解決するための手段】
上記目的は、特定動作検出手段を有する携帯端末により利用者が特定動作を行ったか否かを判定し、特定動作を行った場合、予め登録しておいた情報を記憶部から抽出し、通知することにより達成される。この情報通知方法は、電子錠システム、電子カードシステム、電子定期券システム、あるいは電子チケットシステムを扱うことのできる携帯端末によって実現することができる。
【０００５】
本発明による情報通知方法は、外部装置との間で通信を行う通信部と表示部を有する携帯端末を用いる情報通知方法であって、携帯端末を用いて外部装置との間に特定の動作を行ったときに通知すべき通知情報を当該特定の動作に関する情報と関連付けて携帯端末のデータ記憶部に登録するステップと、携帯端末を用いて外部装置との間に特定の動作を行ったとき、当該特定の動作に関連付けられた通知情報をデータ記憶部から抽出するステップと、抽出された通知情報を携帯端末の表示部に表示するステップとを含むことを特徴とする。
【０００６】
特定の動作に関する情報には、動作の種類、動作の条件、及び日時に関する情報を含むことができる。特定の動作は、携帯端末と電子錠システムとの間に行われる動作、携帯端末と電子カードシステムとの間に行われる動作、携帯端末と電子定期券システムとの間に行われる動作、携帯端末と電子チケットシステムとの間に行われる動作とすることができる。
【０００７】
本発明による携帯端末は、データ記憶部と、表示部と、外部装置との間で通信を行う通信部、外部装置への指示を入力する操作部とを有し、情報通知機能を有する携帯端末であって、データ記憶部に、当該携帯端末を用いて外部装置との間に特定の動作を行ったときに通知すべき通知情報を当該特定の動作と関連付けて記憶しており、データ記憶部に記憶された特定の動作が行われとき、その動作に関連付けられた通知情報をデータ記憶部から検索する検索部と、検索部によって検索された通知情報を表示部に表示する通知情報作成部とを備えることを特徴とする。
【０００８】
【発明の実施形態】
以下、本発明の実施の形態について図面を参照して具体的に説明する。
図１は、本発明による携帯端末の一例を示す概略構成図である。ここに説明する携帯端末は、玄関の電子錠システムと通信して電子錠の開錠・施錠を行う機能を有するものとする。
【０００９】
利用者が直接操作する携帯端末１０１は、入力部１０２、入力データ処理部１０３、通知内容検索部１０４、通知情報作成部１０５、操作部１０６、データ記憶部１０７、表示部１０８及び通信部１０９を備える。電子錠システム１１０は、電子錠制御部１１１、電子錠開閉処理部１１２及び通信部１１３を備える。ここで、通信部１１３は無線通信を検知する装置であり、携帯端末１０１の通信部１０９と電子錠システム１１０の通信部１１３との間の通信は、赤外線通信やＢｌｕｅｔｏｏｔｈ等の無線通信によって行われる。また、通信部１１３はドアの内側と外側とに別個に設けられているため、利用者が電子錠システム１１０を屋内から操作したか屋外から操作したかを識別することができる。
【００１０】
携帯端末１０１の情報通知機能を利用するに先立って、入力部１０２から特定動作を行った場合に通知したい情報を入力する。例えば、利用者が屋内から玄関錠を開錠したときに通知される、忘れ物がないかを確認するための忘れ物リストを入力する。入力された情報は、入力データ処理部１０３がデータ記憶部１０７に保存する。その後、携帯端末１０１の利用者が操作部１０６を用いて、屋内から玄関錠を開錠（特定動作）する指示をすると、それをトリガーとして記憶しておいた情報が表示部１０８に表示され、利用者に通知される。
【００１１】
具体的には、利用者が携帯端末１０１を用いて屋内から玄関錠の開錠を指示すると、通信部１０９を起動し、通信部１０９から電子錠システム１１０に電文を送り、玄関錠の開錠を指示する。電子錠システム１１０は、通信部１１３で電文を受信すると、電子錠制御部１１１で電文を解析する。電文の解析終了後、電子錠開閉処理部１１２を起動し、電子錠を開錠する。電子錠システム１１０は、電子錠の開閉処理終了後、通信部１１３より処理が完了したことを携帯端末１０１に通知する。
【００１２】
携帯端末１０１の通信部１０９は、電子錠システム１１０から玄関錠が開錠されたことが通知されると、通知情報作成部１０５を起動する。通知情報作成部１０５は、通知内容検索部１０４を起動し、データ記憶部１０７より特定動作（屋内から玄関錠を開錠する）に関連付けされている通知内容（忘れ物リスト）を取得したのち、編集し、表示部１０８に忘れ物リストを表示する。このように利用者は、特定動作を行うことにより予め登録しておいた所定の情報を得ることができる。
【００１３】
図２は、通知内容入力時の処理手順を示すフローチャートである。図３に示す携帯端末の表示部の表示例を参照して、通知内容入力処理について説明する。
まず、携帯端末１０１の表示部１０８に、登録されている通知内容一覧２１２を表示させる（ステップ１１）。利用者は、カーソル操作ボタン２１５を操作して、処理選択ボックス２０２で処理（登録／変更／削除）を選択する（ステップ１２、ステップ１７）。利用者が処理選択ボックス２０２で「登録」を選択した場合は、カーソル操作ボタン２１５により、特定動作選択ボックス２０３、条件選択ボックス２０４、日時選択ボックス２０５に値を選択して設定し、また、文字入力支援部２１４により、通知内容入力ボックス２１１に値を入力し、カーソル操作ボタン２１５により登録を確定する（ステップ１３）。日時選択ボックス２０５で「指定」を選択した場合は、カーソル操作ボタン２１５により、指定年選択ボックス２０６、指定月選択ボックス２０７、指定日選択ボックス２０８、指定開始時間選択ボックス２０９、指定終了時間選択ボックス２１０に値を選択して設定する。入力データ処理部１０３は、登録件数が最大値を超えないか判断し（ステップ１４）、最大値を超えていなければ、データ記憶部１０７に通知内容を登録する（ステップ１５）。最大値を超えている場合は、エラーメッセージを表示する（ステップ１６）。
【００１４】
利用者が処理選択ボックス２０２で「更新」を選択した場合は、カーソル操作ボタン２１５により、登録状況一覧２１２から処理する対象行２１３を選択して更新対象を確定する（ステップ１８）。次に、変更したい個所の選択ボックス、または、入力ボックスの値を変更する。最後に、カーソル操作ボタン２１５により変更を確定する（ステップ１９）。入力データ処理部１０３は、通知内容の変更を受付けて、データ記憶部１０７の該当する通知内容を更新する（ステップ２０）。
【００１５】
利用者が処理選択ボックス２０２で「削除」を選択した場合は、続いてカーソル操作ボタン２１５により登録状況一覧２１２から処理する対象行２１３を選択する。入力データ処理部１０３は、通知内容一覧から削除対象行を受付けて（ステップ２１）、データ記憶部１０７の該当する通知内容を削除する（ステップ２２）。
【００１６】
図４は、携帯端末への入力データの処理方法を示す説明図である。入力データは、特定動作と、利用者がどこから特定動作を行ったか、または、利用者がどのようなものを用いて特定動作を行ったか等を指定する条件と、通知したい日時を指定する通知日時と、特定動作を行った場合に通知される通知内容からなる。入力データは入力データ処理部１０３によりデータ記憶部１０７に格納がされるが、このとき特定動作と条件と通知日時と通知内容とを１つのレコードとして格納する。
【００１７】
なお、図４に示すように、例えば同一のドアに設けられた電子錠に対する開錠操作であっても、屋内から開錠するか（外出時）、屋外から開錠するか（帰宅時）の条件の違いによって、通知内容も異なる内容とすることができる。
【００１８】
図５は、携帯端末による特定動作の検出方法の説明図である。携帯端末１０１の操作部１０６で特定動作が指示されると、通信部１０９を起動する。通信部１０９は、特定動作指示電文４０１を電子錠システム１１０に送信する。このとき、通信部１０９と電子錠システム１１０の通信部１１３との間の通信は、既に述べたように赤外線通信やＢｌｕｅｔｏｏｔｈ等の無線通信を利用する。電子錠システム１１０は、携帯端末１０１から送信されてきた特定動作指示電文４０１を受信すると、特定動作を実行する。そして、特定動作が正常に終了した場合、特定動作実行完了通知電文４０２を携帯端末１０１に送信する。携帯端末１０１は、通信部１０９で電子錠システム１１０から送信されてきた特定動作実行完了通知電文４０２を受信することで、特定動作の検出を行う。
【００１９】
図６は、携帯端末の通知情報編集方法を示す説明図である。通信部１０９が、電子錠システム１１０から特定動作実行完了通知電文を受信すると、通信部１０９は、特定動作実行完了通知電文より特定動作５０１と付帯情報５０２を抽出し、通知情報作成部１０５を起動する。通知情報作成部１０５は、特定動作５０１に関連付けされている通知内容を通知内容検索部１０４に検索させる。通知内容検索部１０４は、現在日時５０３を取得してから、データ記憶部１０７より特定動作５０１と特定動作５０４が一致し、付帯情報５０２と条件５０５が一致し、かつ、現在日時５０３が通知日時５０６の範囲である通知内容５０７を全て抽出する。次に、通知情報作成部１０５は、抽出した通知内容５０７を編集する。そして、通知情報作成部１０５は、編集した通知情報を表示部１０８に表示する。
【００２０】
図７は、特定動作指示時の処理の流れを示すフローチャートである。携帯端末１０１は、特定動作指示を受けて（ステップ３１）、電子錠システム１１０へ特定動作指示電文を送信する（ステップ３２）。電子錠システム１１０は、携帯端末１０１から特定動作指示電文を受信すると、指定された特定動作を実行し、携帯端末１０１へ特定動作実行完了通知電文を送信する（ステップ３３〜３５）。携帯端末１０１は、電子錠システム１１０から特定動作実行完了通知電文を受信すると（ステップ３６）、実行した特定動作に関連付けされている通知内容を取得（ステップ３７）、編集し（ステップ３８）、表示する（ステップ３９）。
【００２１】
次に、本発明の第２の実施の形態について説明する。図８は、本発明の第２の実施の形態の電子カードシステムを使用した情報通知方法の構成図である。図８に示すように、第１の実施の形態における電子錠システム１１０（図１）に代えて電子カードシステム８０１が配置される。なお、携帯端末１０１の動作は、第１の実施の形態と同様であるので、重複する説明は省略する。電子カードシステム８０１は、電子カード制御部８０２、勘定系処理部８０３、通信部８０４を有している。
【００２２】
この第２の実施の形態における情報通知方法は、例えば、利用者がキャッシュカード情報を登録している携帯端末１０１より、お金の引き出しの指示をすると、通信部１０９を起動し、通信部１０９から電子カードシステム８０１に電文を送り、お金の引き出しを指示する。電子カードシステム８０１は、通信部８０４で電文を受信すると、電子カード制御部８０２で電文を解析し、電子カードの妥当性チェック処理を行う。次に、勘定系処理部８０３でお金の引き出し処理を行う。電子カードシステム８０１は、お金の引き出し処理終了後、通信部８０４より電子マネー情報とお金の引き出し処理完了を携帯端末１０１に通知する。携帯端末１０１の通信部１０９は、電子カードシステム８０１からお金の引き出しが行われたことが通知されると、「電子カードを使用してお金の引き出す」特定動作に関連付けされている通知内容（欲しい物リスト）を取得したのち、編集し、表示部１０８に欲しい物リストを表示することができる。
【００２３】
次に、本発明の第３の実施の形態について説明する。図９は、本発明の第３の実施の形態の電子定期券システムを使用した情報通知サービスシステムの構成図である。図９に示すように、第１の実施の形態における電子錠システム１１０（図１）に代えて電子定期券システム９０１が配置される。なお、携帯端末の動作は、第１の実施の形態と同様であるので、重複する説明は省略する。
【００２４】
電子定期券システム９０１は、電子定期券制御部９０２、通信部９０３を有している。この第３の実施の形態における情報通知サービス方法は、例えば、利用者が電子定期券を登録している携帯端末１０１を使用すると、通信部１０９が起動され、通信部１０９から電子定期券システム９０１に電文を送る。電子定期券システム９０１は、通信部９０３で電文を受信すると、電子定期券制御部９０２で電文を解析し、電子定期券の妥当性チェック処理を行う。電子定期券システム９０１は電子定期券の妥当性チェック処理終了後、通信部９０３より、定期券の区間内のある駅に入場又は退場したことを携帯端末１０１に通知する。携帯端末１０１の通信部１０９は、電子定期券システム９０１から定期券を使用したことが通知されると、例えば、「ある駅から退場する」特定動作に関連付けされている通知内容（駅付近でしたいことリスト）を取得したのち、編集し、表示部１０８に駅付近でしたいことリストを表示することができる。
【００２５】
次に、本発明の第４の実施の形態について説明する。図１０は、本発明の第４の実施の形態の電子チケットシステムを使用した情報通知方法の構成図である。
図１０に示すように、第１の実施の形態における電子錠システム１１０（図１）に代えて電子チケットシステムＡ０１が配置される。なお、携帯端末１０１の動作は、第１の実施の形態と同様であるので、重複する説明は省略する。
【００２６】
電子チケットシステムＡ０１は、電子チケット制御部Ａ０２、通信部Ａ０３を有している。この第４の実施の形態における情報通知サービス方法は、例えば、利用者が映画館で、携帯端末１０１の操作部１０６より映画のチケットの使用を指示すると、通信部１０９を起動し、通信部１０９から映画館に設置された電子チケットシステムＡ０１に電文を送り、映画のチケットの使用を指示する。電子チケットシステムＡ０１は、通信部Ａ０３で電文を受信すると、電子チケット制御部Ａ０２で電文を解析し、電子チケットの妥当性チェック処理を行う。電子チケットシステムＡ０１は電子チケットの妥当性チェック処理終了後、通信部Ａ０３より、電子チケットを使用したことを携帯端末１０１に通知する。携帯端末１０１の通信部１０９は、電子チケットシステムＡ０１から映画のチケットを使用したことが通知されると、「映画のチケットを使用する」特定動作に関連付けされている通知内容（見所チェックリスト）を取得したのち、編集し、表示部１０８に見所チェックリストを表示することができる。
なお、本発明は前記実施の形態に限定されるものではなく、本発明の趣旨に基づいて種々変更させることが可能であり、それらを本発明から排除するものではない。
【００２７】
【発明の効果】
以上、説明したように、本発明によると、利用者が予め特定動作に関連付けした情報を携帯端末に登録しておくことにより、利用者がその携帯端末を利用して特定動作を行った場合に、登録しておいた情報を利用者に通知することができる。利用者は自分で情報を覚えておく必要がないので、情報が多量であっても煩わしく感じることなく、必要な情報を得ることができる。
【図面の簡単な説明】
【図１】本発明による携帯端末の一例を示す概略構成図。
【図２】利用者が携帯端末に通知内容を登録する手順を示したフローチャート。
【図３】携帯端末の表示画面例を説明する図。
【図４】携帯端末における入力データの処理方法を説明する図。
【図５】携帯端末における特定動作の検出方法を説明する図。
【図６】携帯端末における通知情報の編集方法を説明する図。
【図７】利用者が携帯端末に特定動作を指示し、通知内容を通知させる手順を示したフローチャート。
【図８】本発明の実施の第２の形態の構成を示す図。
【図９】本発明の実施の第３の形態の構成を示す図。
【図１０】本発明の実施の第４の形態の構成を示す図。
【符号の説明】
１０１…携帯端末、１０２…入力部、１０３…入力データ処理部、１０４…通知内容検索部、１０５…通知情報作成部、１０６…操作部、１０７…データ記憶部、１０８…表示部、１０９…通信部、１１０…電子錠システム、１１１…電子錠制御部、１１２…電子錠開閉処理部、１１３…通信部、２０２…処理選択ボックス、２０３…特定動作選択ボックス、２０４…条件選択ボックス、２０５…日時選択ボックス、２０６…指定年選択ボックス、２０７…指定月選択ボックス、２０８…指定日選択ボックス、２０９…指定開始時間選択ボックス、２１０…指定終了時間選択ボックス、２１１…通知内容入力ボックス、２１２…登録状況一覧、２１４…文字入力支援部、２１５…カーソル操作ボタン、４０１…特定動作指示電文、４０２…特定動作完了通知電文、８０１…電子カードシステム、８０２…電子カード制御部、８０３…勘定系処理部、８０４…通信部、９０１…電子定期券システム、９０２…電子定期券制御部、９０３…通信部、Ａ０１…電子チケットシステム、Ａ０２…電子チケット制御部、Ａ０３…通信部
【図１】
2004274617.tif 000003
【図２】
2004274617.tif 000004
【図３】
2004274617.tif 000005
【図４】
2004274617.tif 000006
【図５】
2004274617.tif 000007
【図６】
2004274617.tif 000008
【図７】
2004274617.tif 000009
【図８】
2004274617.tif 000010
【図９】
2004274617.tif 000011
【図１０】
2004274617.tif 000012